(57)【特許請求の範囲】
【請求項１】
動物が出入りをする開口部を有し戸扉類に取付けられるフレーム部材と、フレーム部材の開口部を遮閉するよう取付けられるフラップ部材とを備え、フラップ部材は、略中間を水平方向に分割させて上フラップ部材と下フラップ部材とから形成され、上フラップ部材の下端部と下フラップ部材の上端部とは動物の出る方向及び入る方向の両方向へ回動自在に連結されることを特徴とする動物用の扉構造。
【請求項２】
請求項１記載の動物用の扉構造において、上フラップ部材の下端部と下フラップ部材の上端部には、係止突起と受穴とが設けられていることを特徴とする動物用の扉構造。
【請求項３】
請求項１又は２記載の動物用の扉構造において、フラップ部材の下端部とフレーム部材の開口部の内側端との間は着磁構造であることを特徴とする動物用の扉構造。
【請求項４】
請求項１から３いずれか記載の動物用の扉構造において、フレーム部材は、戸扉類に取付けされるフレーム部を有し、フレーム部が薄肉に形成されることを特徴とする動物用の扉構造。
【請求項５】
請求項１から４いずれか記載の動物用の扉構造において、フレーム部材は、略同形状の一対のフレーム部材から構成され、戸扉類の両面から一対のフレーム部材が組付けされること特徴とする動物用の扉構造。
【請求項６】
請求項１から５いずれか記載の動物用の扉構造において、一対のフレーム部材は雄雌嵌合されることを特徴とする動物用の扉構造。
【請求項７】
請求項１から６いずれか記載の動物用の扉構造において、フレーム部材には動物の出入りを閉塞するための閉塞パネル部材を備え、フレーム部材と閉塞パネル部材とが雄雌係止されることを特徴とする動物用の扉構造。
【発明の詳細な説明】
【０００１】
【発明の属する技術分野】
本発明は、戸扉類に組み込まれて猫や犬等の動物が出入りするための動物用の扉構造に関する技術分野に属する。
【０００２】
【従来の技術】
一般に、戸扉類に組み込まれて猫や小型犬等の動物が出入りするための動物用の扉構造を図８に示す。
【０００３】
動物用の扉構造１は、動物が出入り可能な大きさの開口部１３を有しドアに取付けられる固定枠体１０，１１と、一方の固定枠体１０の開口部１３にさらに丁番１４１を介し取付けられている回動固定枠体１４と、回動固定枠体１４に丁番１４２を介し取付けられる回動扉１２とから構成される。動物が出入りする場合には、鼻先で回動扉を押し開け、出入りをする。
【０００４】
しかしながら上記回動扉１２は、硬質樹脂でできているため、動物の鼻先等で押し開けた力Ｆ３がそのまま回動扉の閉力−Ｆ３になり、回動扉１２の下端１２０と回動固定枠体１４の内側下端１４０との間に動物の頭や尾等が挟まれて怪我をするという問題があった。
【０００５】
また、固定枠体１０，１１は、取付けるドアの面に対し厚肉Ｗ２に形成されているため、動物用扉の使用範囲が限られてしまうという問題があった。
【０００６】
【発明が解決しようとする課題】
本発明はこのような事情に対応してなされたものであり、回動扉の開閉によっても動物の頭や尾等が挟まれることなく、安全にかつ快適に使用することのできる動物用の扉構造を提供することを課題とする。
【０００７】
また、ドアの種類を問わずに、動物用扉が取付けできる動物用の扉構造を提供することを課題とする。
【０００８】
【課題を解決するための手段】
上述の課題を考慮して、本発明の動物用の扉構造は次のような手段を採用する。
【０００９】
すなわち、請求項１では、動物が出入りをする開口部を有し戸扉類に取付けられるフレーム部材と、フレーム部材の開口部を遮閉するよう取付けられるフラップ部材とを備え、フラップ部材は、略中間を水平方向に分割させて上フラップ部材と下フラップ部材とから形成され、上フラップ部材の下端部と下フラップ部材の上端部とは動物の出る方向及び入る方向の両方向へ回動自在に連結されることを特徴とする。
【００１０】
この手段では、動物の出入り方向の力が逃げるため、フラップ部材の閉力が軽減される。また、フラップ部材の開時は軽力ですむ。フラップ部材の開閉が円滑に行われる。なお、本明細書において戸扉類とは、回動式ドア，引き違い戸，戸袋に入る引き戸等の総称を意味するだけでなく、壁面をも含む。したがって、戸扉類の種類を問わず取付けられ、使用範囲が拡大される。
【００１１】
請求項２では、請求項１記載の動物用の扉構造において、上フラップ部材の下端部と下フラップ部材の上端部には、係止突起と受穴とが設けられていることを特徴とする動物用の扉構造。
【００１２】
この手段では、上フラップ部材と下フラップ部材とが雄雌嵌合され、フラップ部材の開閉が円滑に行われる。
【００１３】
請求項３では、請求項１又は２記載の動物用の扉構造において、フラップ部材の下端部とフレーム部材の開口部の内側端との間は着磁構造であることを特徴とする。
【００１４】
この手段では、フラップ部材が磁力によりフレーム部材の開口部の内側端に引き寄せられ、確実に遮閉される。フラップ部材は軽い力で開かれる。
【００１５】
請求項４では、請求項１から３いずれか記載の動物用の扉構造において、フレーム部材は、戸扉類に取付けされるフレーム部を有し、フレーム部が薄肉に形成されることを特徴とする。
【００１６】
この手段では、戸扉類の種類を問わずにフレーム部材が取付される。
【００１７】
請求項５では、請求項１から４いずれか記載の動物用の扉構造において、フレーム部材は、略同形状の一対のフレーム部材から構成され、戸扉類の両面から一対のフレーム部材が組付けされること特徴とする。
【００１８】
この手段では、製造コストが削減される。
【００１９】
請求項６では、請求項１から５いずれか記載の動物用の扉構造において、一対のフレーム部材は雄雌嵌合されることを特徴とする。
【００２０】
この手段では、戸扉類の両面から雄雌嵌合される。また、戸扉類の開口端面が隠蔽され、美観が向上される。
【００２１】
請求項７では、請求項１から６いずれか記載の動物用の扉構造において、フレーム部材には動物の出入りを閉塞するための閉塞パネル部材を備え、フレーム部材と閉塞パネル部材とが雄雌係止されることを特徴とする。
【００２２】
この手段では、簡易な構成で動物の出入りが閉塞される。
【００２３】
【発明の実施の形態】
以下、本発明の動物用の扉構造の実施の形態について、図面に基づいて説明する。図１は実施の形態の動物用の扉構造を示す分解斜視図、図２は実施の形態の動物用の扉構造におけるフラップ部材の拡大図、図３は実施の形態の着磁部材における拡大図、図４は実施の形態の動物用の扉構造におけるフレーム部材の要部拡大図、図５は実施の形態の動物用の扉構造の組込み図、図６は図５のＡ−Ａ線拡大断面図、図７は図６の要部拡大断面図である。なお、以下に説明する図において、図８と同様の部分には同一符号を付すものとする。
【００２４】
実施の形態の動物用の扉構造１は、動物が出入りをする開口部２１，３１を有し戸扉類９に取付けられるフレーム部材２，３と、フレーム部材２，３の開口部２１，３１を遮閉するよう取付けられるフラップ部材４とを備える概略構成である。また、フラップ部材４の下端部とフレーム部材３の開口部３１の内側端との間は着磁構造を有する。実施の形態では、着磁構造として着磁部材７を介在させてなる構成である。さらに、フレーム部材２，３には、動物の出入りを閉塞するための閉塞パネル部材８を備える。
【００２５】
フラップ部材４は、動物の出入り方向によって、回動自在に開閉する部材であって、ＡＢＳ樹脂等から形成される。また、フラップ部材４は、フラップ部材４の略中間を水平方向に分割させて形成させた上フラップ部材５と下フラップ部材６とからなる。さらにフラップ部材４は、上フラップ部材５の下端部と下フラップ部材６の上端部とが回動自在に連結されるよう雄雌嵌合に構成される。
【００２６】
上フラップ部材５は、略矩形状を有する上枠部５０と上枠部５０を閉塞するよう取付けられる上パネル部５１とからなる。
【００２７】
上枠部５０は、フレーム部材３の開口部３１と回動自在に連結するため、図２に示すように上端部両端に水平方向に突設された突面５００から形成される突起５０１を有し、ＡＢＳ樹脂等からなる。上枠部５０の下端部両端には下フラップ部材６と回動自在に連結するため、下方方向に突設された円筒突起５０３を有し、ここに受穴５０２が設けられている。
【００２８】
上パネル部５１は、上枠部５０と一体に成形されており、ＡＢＳ樹脂からなる。上パネル部５１は、透明色に限られず、動物または飼い主が出入り付近を確認可能の着色が好ましい。
【００２９】
下プラップ部材６は、凸形状を有する下枠部６０と、下枠部６０を閉塞するよう取付けられる下パネル部６１と、フラップ部材３の開口部３１と着磁するための磁部６２とからなる。
【００３０】
下枠部６０は、図２に示すように凸状に突設された上端部両側面６００からさらに水平方向に突設され、上フラップ部材５の受穴５０２と雄雌嵌合される係止突起６０２が形成される。また、下枠部６０の下端には磁部６２が形成される。
【００３１】
磁部６２は、下枠部６０の下端面６０１を上方方向に凹設し、この下端面６０１と嵌合するよう設けられた磁力を有する部材が粘着されてなる。実施の形態では、磁部６２には例えばマグネット６２０が粘着される。
【００３２】
下パネル部６１は、上フラップ部材５の上パネル部５１と同様に、下枠部６０と一体に成形されており、ＡＢＳ樹脂からなる。また下パネル部６１は透明色に限られず、動物や飼い主等が出入り付近を確認可能の着色が好ましい。
【００３３】
着磁部材７は、図３に示すように下フラップ部材６の磁部６２とフレーム部材３の開口部３１の内側端との間を磁気係止させるための部材であり、ＡＢＳ樹脂等からなる。また着磁部材７は、断面矩形状の下面を切欠した形状であり、上面には磁力を有する部材、例えばマグネット７０が粘着され、下面７０１に割溝７０２が形成されてなる構造である。
【００３４】
フレーム部材２，３は、各種住宅用の戸扉類９の下端部に形成させた開口に取付けられる部材であり、ＡＢＳ樹脂等からなる。またフレーム部材２，３は、略同形状の１対のフレーム部材２，３から構成され、戸扉類９の両面９００，９０１から組付けされる。
【００３５】
まず、一方のフレーム部材２から説明する。
フレーム部材２は、図１および図４に示すように戸扉類９に取付けられるフレーム部２０と、フレーム部２０の裏面２００から戸扉類９の開口と略同形状で動物が出入りをするための開口部２１と、１対のフレーム部材２，３を嵌合させるための嵌合部２２と、この嵌合部２２に連設されるリブ部２３と、戸扉類に取付けるための取付部２４と、閉塞パネル部材８と雄雌係止するためのパネル穴部２５を各々に有する。
【００３６】
フレーム部２０は、フレーム部材２を各種住宅用の戸扉類９に取付されるためのものである。フレーム部２０は戸扉類９の種類を問わずに取付されるため、厚みＷ１は薄肉に形成される。
【００３７】
開口部２１は、フレーム部材２のフレーム部２０に設けられる開口であり、動物が出入りできる程度の開口を有する。実施の形態では矩形状の開口を有する。また開口部２１には、開口の周縁に沿って開口突片２１０が立設されている。
【００３８】
開口突片２１０の下端部内側の側面２１１には、対の保持突起２１３が形成される。さらに開口突片２１０の下端部内側の下面２１５には、着磁突片２１６が立設され、対の保持突起２１３の下面２１５に連設されてなる。
【００３９】
嵌合部２２は、フレーム部材２のフレーム部２０の周面に立設される縁突片２２０と、縁突片２２０の内側に立設される第１嵌合突片２２１と、縁突片２２０の内側に凹設される第１嵌合溝２２２と、縁突片２２０の下端部に下方方向に連設される補強片２２３とから形成される。
【００４０】
第１嵌合突片２２１は、開口突片２１０の外周に略コ字形状に突設され、開口突片２１０の略倍の幅を有する。
【００４１】
第１嵌合溝２２２は、第１嵌合突片２２１と対称に設けられ、第１嵌合突片２２１と同周上に略逆コ字形状に凹設される。
【００４２】
補強片２２３は、第１嵌合突片２２１を補強するために設けられる。補強片２２３は、図４に示すように一方の側面２２３１が三角形状を呈しつつ第１嵌合突片２２１まで延設される。これは特にフレーム部材２，３が、戸扉類９に組み付けされた場合には、第１嵌合突片２２１の下端部を補強する役割をもつ。
【００４３】
リブ部２３は、縁突片２２０の上部に連設される。リブ部２３は閉塞パネル部材８を取付ける際にフレーム部２０に凹設されたパネル穴部２５をフレーム部２０の裏面２００から補強するためのリブである。
【００４４】
取付部２４は、フレーム部２０の裏面２００の四隅に立設されるとともに、表面２０１からは凹設されるよう設けられている。取付部２４はインサートナット２４０構造である。また、取付部２４に取付けネジ３７が螺合された場合には、キャップ部材２８が落とし込まれ、取付ねじ３７のねじ先にキャップ部材２８が嵌め合わされる。取付部２４は、フレーム部２０の表面２０１から凹設されているため、キャップ部材２８が落とし込まれても、フレーム部２０からは突出せず、美観の向上が図れる。
【００４５】
パネル穴部２５は、図１および図６に示すようにフレーム部２０の上部２５及び下部２５に凹設される。また、上部に設けられるパネル穴部２５は、リブ部２３の内側空間に設けられる開口であり、フレーム部材２の表面２０１からこの開口に閉塞パネル部材８が挿入される。
【００４６】
次に他方のフレーム部材３について説明する。
他方のフレーム部材３は、一方のフレーム部材２と略同形状である。
他方のフレーム部材３には、一方のフレーム部材２と同様に、フレーム部３０と、開口部３１と、嵌合部３２と、リブ部（図示せず）と、取付部３４と、パネル穴部３５とを各々に有する。
【００４７】
開口部３１は、開口突片３１０が立設されている。
開口突片３１０の上端部内側の両側面３１１には、上フラップ部材５の突起５０１を取り付けするための取付穴３１２が凹設される。また、開口突片３１０の下端部内側の側面３１１には、対の保持突起３１３が水平方向に突設される。さらに、開口突片３１０の下端部内側の下面３１５には、着磁突片３１６が立設される。
【００４８】
嵌合部３２は、図１および図６に示すように一方のフレーム部材２と同形状の第２嵌合突片３２１と、第２嵌合溝３２２と、補強片３２３とから形成される。補強片３２３は、フレーム部材２の補強片２２３と同形状であり、第２嵌合突片３２１を補強するために設けられる。また、特に補強片３２３の一方の側面３２３１は、第２嵌合突片３２１の下端部を補強する役割をもつ。
【００４９】
取付部３４は、挿通孔３４０を有する構造であり、一方のフレーム部材２の取付部２４と構造が異なる。挿通孔３４０には取付ねじ３７が挿通される。
【００５０】
閉塞パネル部材８は、フレーム部材３の開口部３１を閉塞するための部材であり、開口部３１と略同形状を有し、ＡＢＳ樹脂等からなる。閉塞部材８の上下周面８１には、閉塞突起８２１，８２２が連設されてなる。また、下端の閉塞突起８２には、フレーム部材３の閉塞状態を確認するための閉塞片８２０が設けられている。
【００５１】
次に上述した動物用の扉構造の取付方法について説明する。
【００５２】
動物用の扉構造１の取付準備を説明する。
床面から動物の胸底までの長さを測定し、その測定分がフレーム部材２，３の開口部２１，３１の下端部となるよう動物用の扉構造１が戸扉類９に取付される高さを決定する。そして、フレーム部材２，３の取付部２４，３４の四隅が収まる四角形状の開口を戸扉類９に形成する。戸扉類９の開口はフレーム部材２，３の開口部２１，３１より僅かに大なる開口に形成されるのが好ましい。
【００５３】
次に、動物用の扉構造１の組み立てについて説明する。
まず、上フラップ部材５の受穴５０２に下フラップ部材６の係止突起６０２が係止され、回動自在に取付けられる。実施の形態では、ヒンジの如く取付けられるため、開閉時の回動が円滑に行われる。また、動物の出入り方向の力Ｆ１，Ｆ２に対して、雄雌係止した箇所から屈曲変形されて力ｆ１，ｆ２が分散されて逃げるため、軽い力で回動自在となることができる。
【００５４】
次に、着磁部材７の割溝７０２を開き、割溝７０２を一方のフレーム部材３の着磁突片３１６へ挿入し、着磁部材７の両端がフレーム部材３の対の保持突起３１３に保持される。このとき、図７に示すように、保持突起３１３の上面３１４から着磁部材７の内側下面７００までは間隙Ｄを有する遊嵌構造のため、フラップ部材４との遮閉具合が調節できると同時に、フラップ部材４の開閉時の磁力調節ができる。
【００５５】
上フラップ部材５の突起５０１を一方のフレーム部材３の取付穴３１２に取り付けする。
【００５６】
その後、図６に示すようにフレーム部材２，３を戸扉類９の両面９００，９０１に取付ける。このとき、取付ねじ３７を取付部３４，２４に挿入し、螺合させ、さらにキャップ部材２８，３８を落とし込み、取付ねじ３７の両端部に嵌め合わせる。フレーム部材２，３は、取付ける戸扉類の面９００，９０１に対し薄肉Ｗ１に形成され、約１〜５ｍｍに形成されるが、実施の形態では約２ｍｍに形成するのが好ましい。
【００５７】
具体的な取り付け状態としては、フレーム部材２の第１嵌合突片２２１が第２嵌合溝と雄雌嵌合されると同時に、第１嵌合溝２２２に第２嵌合突片３２１とが雄雌嵌合される。このとき、第１及び第２の嵌合突片２２１，３２１が戸扉類９の開口端面を隠蔽するため、美観が一層向上する。また、補強片２２３，３２３が第１および第２の嵌合突片２２１，３２１を保持する役割を果たす。
【００５８】
飼い主等が動物の出入りを止めさせたい場合には、閉塞パネル部材８を使用する。その場合には、閉塞パネル部材８の上部の閉塞突起８２１をフレーム部材３の上部のパネル穴部３５に挿入させた後、下部の閉塞突起８２２をフレーム部材３の下部のパネル穴部３５に挿入させて、閉塞させる。
【００５９】
なお、フラップ部材４は、フレーム部材３に取付けたが、戸扉類の種類の如何によってはフレーム部材３と略同形状のフレーム部材２に取付けても良く、上記実施の形態には限られない。
【００６０】
また、フラップ部材４の上枠部５０と上パネル部５１，下枠部６０と下パネル部６１とは一体に成形されているが、これらは別体に成形されても良く上記実施の形態には限られない。
【００６１】
さらに、閉塞パネル部材８は、閉塞突起８２１，８２２をフレーム部材３側のパネル穴部３５と雄雌係止させて取付けたが、飼い主等が動物の出入りをさせたくない方向によってはフレーム部材２側のパネル穴部２５に取付けることもでき、上記実施の形態には限られない。
【００６２】
次に、本発明について実施例を用いて説明する。
【００６３】
【実施例１】
フレーム部材２，３は、ＡＢＳ樹脂製を使用し、縦幅約３３３ｍｍ，横幅約２４０ｍｍ，厚さＷ１を約２ｍｍとし、開口部は縦幅約２６０ｍｍ，横幅約１９３ｍｍとした。
フラップ部材５，６は、ＡＢＳ樹脂製を使用した。また、上フラップ部材５は縦幅約１３０ｍｍ，横幅約１９２ｍｍとした。下フラップ部材６は縦幅約１２１ｍｍ，横幅約１９２ｍｍとした。
フラップ部材の磁部６２及び着磁部材７には、厚さ約２ｍｍ，幅約１６８ｍｍのマグネットを粘着させた。
閉塞パネル部材８は、ＡＢＳ樹脂製を使用した。また取付ねじ３７には、十字穴付小ねじを使用し、キャップ部材２８，３８にはポリエチレン製を使用した。
【００６４】
上記設定の動物用の扉構造を使用することにより、フラップ部材が円滑に開閉するため動物の頭や尾等が挟まれることなく、安全にかつ快適に使用することができた。
【００６５】
また、フレーム部材の厚みを薄肉に形成したため、住宅用の戸扉類の種類を問わずにとりつけられ、使用範囲を拡大することができた。これにより動物の行動範囲も広がり、飼い主の意志をより反映できるようになった。
【００６６】
【本発明の効果】
以上詳述してきたように、本発明の動物用の扉構造は、フラップ部材の略中間を水平方向に分割したので、動物の出入り方向の力が逃げ、フラップ部材の閉力が軽減できる。また、フラップ部材の開時も軽力で開状態にすることができ、フラップ部材の開閉が円滑に行われる。したがって、回動扉の開閉によっても動物の頭や尾等が挟まれることなく、安全にかつ快適に使用することができるという優れた効果を有する。
【００６７】
また請求項２記載の発明においては、上フラップ部材と下フラップ部材とを形成したことによりフラップ部材の開閉が円滑に行うことができる。
【００６８】
請求項３記載の発明においては、フラップ部材が磁力によりフレーム部材の開口部の内側端に引き寄せられ、確実に遮閉され、軽い力で開口することができる。
【００６９】
請求項４記載の発明においては、戸扉類の種類を問わずに取付されるため、使用範囲を拡大することができる。
【００７０】
請求項５および６記載の発明においては、製造コストが削減できる。特に請求項６記載の発明においては、戸扉類の両面から雄雌嵌合でき、戸扉類の開口端面が隠蔽され、美観の向上が図れる。
【００７１】
請求項７記載の発明においては、簡易な構成で動物の出入りを閉塞することができる。
【図面の簡単な説明】
【図１】  実施の形態の動物用の扉構造を示す分解斜視図である。
【図２】  実施の形態の動物用の扉構造におけるフラップ部材の拡大図である。
【図３】  実施の形態の着磁部材における拡大図である。
【図４】  実施の形態の動物用の扉構造におけるフレーム部材の要部拡大図である。
【図５】  実施の形態の動物用の扉構造の組込み図である。
【図６】  図５のＡ−Ａ線拡大断面図である。
【図７】  図５の要部拡大断面図である。
【図８】  動物用の扉構造の従来図である。
【符号の説明】
１                  動物用の扉構造
２，３              フレーム部材
２０，３０          フレーム部
２００，３００      裏面
２０１，３０１      表面
２１，３１          開口部
２１０，３１０      開口突片
２１１，３１１      側面
３１２              取付穴
２１３，３１３      対の保持突起
３１４              上面
３１５，３１７      下面
２１６，３１６      着磁突起
Ｄ                  間隙
２２，３２          嵌合部
２２０              縁突片
２２１，３２１      嵌合突片
２２２，３２２      嵌合溝
２２３，３２３      補強片
２２３１，３２３１  補強片の一方側面
２３                リブ部
２４，３４          取付部
２４０              インサートナット
３４０              挿通孔
２５，３５          パネル穴部
３７                取付ねじ
２８，３８          キャップ部材
８                  閉塞パネル部材
８１                周面
８２０              閉塞突起
８２１，８２２      閉塞片
４                  フラップ部材
５                  上フラップ部材
６                  下フラップ部材
５０，６０          上枠部、下枠部
５００              突面
５０１              突起
５０２              受穴
５０３              円筒突起
５１                上パネル部
６０                下枠部
６００              側面
６０２              係止突起
６１                下パネル部
６２                磁部
７                  着磁部材
７０                マグネット
７０１              下面
７０２              割溝
９                  戸扉類
１０，１１          固定枠体
１２                回動扉
１３                開口部
１４                回動固定枠体
Ｆ１，Ｆ２，Ｆ３    力
Ｗ１，Ｗ２          厚み
【図１】
0003688251.tif 000002
【図２】
0003688251.tif 000003
【図３】
0003688251.tif 000004
【図４】
0003688251.tif 000005
【図５】
0003688251.tif 000006
【図６】
0003688251.tif 000007
【図７】
0003688251.tif 000008
【図８】
0003688251.tif 000009